(57)【要約】【課題】誤りが多い部分があっても記録媒体を無駄に使わないようにする。また、効率的で正確なコンテンツの誤りが多い部分の判定を行う。【解決手段】放送信号を受信する受信手段と、この受信手段により受信された受信信号の誤りが所定よりも多いか否かを判定する判定手段と、前記判定手段の判定結果に応じて前記誤りが所定よりも多い部分を除いて前記受信信号を記録媒体に記録する記録手段とを備えたことを特徴とする記録再生機能付き放送受信装置を提供する。また、記録媒体に記録された信号を再生するときに、前記識別情報記録手段から再生した前記識別情報を用いて前記誤りが多い部分を飛ばして再生する再生手段とを備えたことを特徴とする記録再生機能付き放送受信装置を提供する。【選択図】　　　図１
2004120476.tif 000002
【特許請求の範囲】
【請求項１】
放送信号を受信する受信手段と、
この受信手段により受信された受信信号の誤りが所定よりも多いか否かを判定する判定手段と、
前記判定手段の判定結果に応じて前記誤りが所定よりも多い部分を除いて前記受信信号を記録媒体に記録する記録手段とを備えたことを特徴とする記録再生機能付き放送受信装置。
【請求項２】
前記記録手段は、前記誤りが所定よりも多い部分を前記記録媒体へ記録した後、前記誤りが所定よりも多い部分を削除することにより、前記誤りが所定よりも多い部分を除いて前記受信信号を記録媒体に記録することを特徴とする請求項１記載の記録再生機能付き放送受信装置。
【請求項３】
前記放送信号はパケット化されたデジタル放送信号であり、
前記受信手段により受信された受信信号からパケットのエラーを検出するパケットエラー検出手段と、
前記パケットエラー検出手段により、前記パケットのエラーが検出されたとき、このエラーがあったパケットのデータの種類を調べるデータ種類判定手段と、
前記データ種類判定手段による判定結果に基づいて前記誤りが多い部分の判定を変化させる判定変化手段とを備えたことを特徴とする請求項１または２記載の記録再生機能付き放送受信装置。
【請求項４】
前記判定手段は、
前記パケットのエラーが、Ｉピクチャのものであるか否かを判定するＩピクチャ判定手段と、
前記Ｉピクチャ判定手段による判定の結果が前記パケットのエラーがＩピクチャのものであるとき、このＩピクチャが属するＧＯＰ（Ｇｒｏｕｐ　Ｏｆ　Ｐｉｃｔｕｒｅｓ）をエラーＧＯＰとして判定し、判定の結果が前記パケットのエラーがＩピクチャのものでないとき、このピクチャが属するＧＯＰを正常なＧＯＰとして判定するＧＯＰ判定手段と、
このＧＯＰ判定手段による複数ＧＯＰの判定結果に基づいて、前記誤りが所定よりも多い部分か否かを判定することを特徴とする請求項３記載の記録再生機能付きモバイル放送受信装置。
【請求項５】
前記判定手段は、
前記パケットのエラーが、Ｉピクチャのものであるか否かを判定するＩピクチャ判定手段と、
前記Ｉピクチャ内の画像データに関する前記パケットのエラーの数をカウントするパケットエラー数カウント手段と
前記パケットエラー数カウント手段によるカウント結果に応じて前記Ｉピクチャ内の画像データに関するエラー率を求めるエラー率算出手段と、
前記エラー率算出手段により算出された前記エラー率が所定よりも高いときに前記Ｉピクチャが属するＧＯＰ（Ｇｒｏｕｐ　Ｏｆ　Ｐｉｃｔｕｒｅｓ）をエラーＧＯＰとして判定し、前記エラー率が所定よりも高くないときに前記Ｉピクチャが属するＧＯＰを正常なＧＯＰとして判定するＧＯＰ判定手段と、
このＧＯＰ判定手段による複数ＧＯＰの判定結果に基づいて、前記誤りが所定よりも多い部分か否かを判定することを特徴とする請求項３記載の記録再生機能付きモバイル放送受信装置。
【請求項６】
前記記録手段が前記受信信号記録時に、前記誤りが多い部分を識別するための識別情報を、識別情報を記録するための記録媒体へ記録する識別情報記録手段とを備えたことを特徴とする請求項１乃至５のいずれか１項に記載の記録再生機能付き放送受信装置。
【請求項７】
前記コンテンツの誤りが多い部分があったときに、この旨をユーザに映像または音声にて案内する案内手段を有することを特徴とする請求項１乃至６のいずれか１項記載の記録再生機能付き放送受信装置。
【請求項８】
前記受信手段は放送信号を復調する復調手段を有し、
前記判定手段は、前記復調手段によって検出されるＣ／Ｎ比によって、前記誤りが多い部分を判定する手段を有することを特徴とする記録再生機能付き放送受信装置。
【請求項９】
前記誤りが所定よりも多い部分で音声信号をミュートするミュート手段を備えたことを特徴とする請求項１乃至８のいずれか１項記載の記録再生機能付き放送受信装置。
【請求項１０】
デジタル放送信号を受信する受信手段と、
この受信手段により受信された受信信号を記録媒体に記録する記録手段と、
前記受信手段により受信された受信信号からパケットのエラーを検出するパケットエラー検出手段と、
前記パケットエラー検出手段により、前記パケットのエラーが検出されたとき、このエラーがあったパケットのデータの種類を調べるデータ種類判定手段と、
前記データ種類判定手段による判定結果に基づいて前記誤りが所定よりも多い部分を判定する判定手段と、
前記判定手段により判定された前記誤りが多い部分を識別するための識別情報を、識別情報を記録するための記録媒体へ記録する識別情報記録手段とを備え、
前記記録媒体に記録された信号を再生するときに、前記識別情報記録手段から再生した前記識別情報を用いて前記誤りが多い部分を飛ばして再生する再生手段とを備えたことを特徴とする記録再生機能付き放送受信装置。
【発明の詳細な説明】
【０００１】
【発明の属する技術分野】
この発明は、放送受信装置に関し、特に、放送により送られた映像や音声などのコンテンツ（以後、単にコンテンツと呼ぶ）を記録再生する機能を持った記録再生機能付き放送受信装置に関する。
【０００２】
【従来の技術】
従来の記録再生機能を持った放送受信装置は、記録したコンテンツに誤りが多い場合、誤りが多い部分を飛ばして正常な部分のみを再生する手段を備えたものが知られている（例えば、特許文献１参照）。
【０００３】
この文献では、誤りが多い部分を飛ばす（以後、ＪＵＭＰと呼ぶ）機能を備えている。
また同文献では、受信したコンテンツの誤りが多い部分を判定する方法として、ＴＳ（トランスポート・ストリーム）エラーインジケータのフラグが立っているパケットの数をカウントしている。
【０００４】
【特許文献１】
特開平０９−０４６６３９号公報（第６−１２頁、図１、図２）
【０００５】
【発明が解決しようとする課題】
このように従来の記録再生機能を持った放送受信装置においては、誤りが多い部分を飛ばす機能を備えているが、記録したコンテンツの誤りが多い部分を削除する機能や、誤りが多い部分を記録しない機能を備えていないため、記録媒体を無駄に使ってしまうという問題があった。
【０００６】
また、従来の記録再生機能を持った放送受信装置においては、受信したコンテンツの誤りが多い部分を判定する方法としてＴＳエラーインジケータのフラグが立っているパケットの数をカウントしているのみで、エラーデータがどのような種類のデータであるかを判別せずにＴＳエラーインジケータをカウントしている。このため例えば、ＰＥＳヘッダのタイムスタンプ情報にのみエラーが発生した場合、重大なエラーにもかかわらず、それを誤りが多い部分と判定できないという問題があった。
【０００７】
この発明は、誤りが多い部分があっても記録媒体を無駄に使わない記録再生機能を持った放送受信装置を提供することを目的とする。また、この発明は、効率良く正確に誤りが多い部分の判定をする記録再生機能を持った放送受信装置を提供することを目的とする。
【０００８】
以上説明したようにこの発明によれば、記録したコンテンツの誤りが多い部分を自動的に削除するので、記録媒体を有効に活用することができる。また、ＴＳエラーインジケータのフラグが立ったパケットに対して、エラーデータがどのような種類のデータであるかを判別することによって、効率的で正確なコンテンツの誤りが多い部分の判定が可能となる。
【０００９】
【課題を解決するための手段】
上記の目的を達成するために、この発明においては、放送信号を受信する受信手段と、この受信手段により受信された受信信号の誤りが所定よりも多いか否かを判定する判定手段と、前記判定手段の判定結果に応じて前記誤りが所定よりも多い部分を除いて前記受信信号を記録媒体に記録する記録手段とを備えたことを特徴とする記録再生機能付き放送受信装置を提供する。
【００１０】
また、上記の目的を達成するために、この発明においては、前記記録手段は、前記誤りが所定よりも多い部分を前記記録媒体へ記録した後、前記誤りが所定よりも多い部分を削除することにより、前記誤りが所定よりも多い部分を除いて前記受信信号を記録媒体に記録することを特徴とする前記記録再生機能付き放送受信装置を提供する。
【００１１】
また、上記の目的を達成するために、この発明においては、前記放送信号はパケット化されたデジタル放送信号であり、前記受信手段により受信された受信信号からパケットのエラーを検出するパケットエラー検出手段と、前記パケットエラー検出手段により、前記パケットのエラーが検出されたとき、このエラーがあったパケットのデータの種類を調べるデータ種類判定手段と、前記データ種類判定手段による判定結果に基づいて前記誤りが多い部分の判定を変化させる判定変化手段とを備えたことを特徴とする前記記録再生機能付き放送受信装置を提供する。
【００１２】
また、上記の目的を達成するために、この発明においては、デジタル放送信号を受信する受信手段と、この受信手段により受信された受信信号を記録媒体に記録する記録手段と、前記受信手段により受信された受信信号からパケットのエラーを検出するパケットエラー検出手段と、前記パケットエラー検出手段により、前記パケットのエラーが検出されたとき、このエラーがあったパケットのデータの種類を調べるデータ種類判定手段と、前記データ種類判定手段による判定結果に基づいて前記誤りが所定よりも多い部分を判定する判定手段と、前記判定手段により判定された前記誤りが多い部分を識別するための識別情報を、識別情報を記録するための記録媒体へ記録する識別情報記録手段とを備え、前記記録媒体に記録された信号を再生するときに、前記識別情報記録手段から再生した前記識別情報を用いて前記誤りが多い部分を飛ばして再生する再生手段とを備えたことを特徴とする記録再生機能付き放送受信装置を提供する。
【００１３】
【発明の実施の形態】
（第１の実施の形態）
以下、この発明の第１の実施の形態について図１を参照しながら詳細に説明する。
図１はこの発明の第１の実施の形態に係る記録再生機能付き放送受信装置を説明するための回路構成図である。この放送受信装置は特にバッテリーで駆動される持ち運び可能なものとして説明するが、必ずしもこれに限定しない。
【００１４】
図１において、記録再生機能付き放送受信装置１０１は、復調器１０２、ＣＰＵ１０３、メモリ１０４、バス１０５、ＴＳ分離部１０６、記録メディア１０７、ビデオデコーダ１０８、オーディオデコーダ１０９、バッテリー１１０、アンテナ１１１、チューナ１１２から構成されている。
【００１５】
アンテナ１１１により受信された受信信号はチューナ１１２により所定のチャンネルが選局され、この選局されたチャンネルで送られている多重化ストリームが復調器１０２へ供給される。
【００１６】
復調器１０２は、チューナから入力された多重化ストリームを復調し、この復調した多重化ストリームにおけるＴＳエラーインジケータの値を判定する。更に復調器１０２は、降雨などによる信号の減衰、即ちＣ／Ｎ比エラーが発生した場合に、バス１０５を介してＣＰＵ１０３へ誤りが多い部分検出のフラグを立てる。
【００１７】
ＣＰＵ１０３は演算処理や各ブロックの制御を行い、メモリ１０４はＣＰＵ１０３が動作上必要なデータの一時記憶等を行う。なお、これらは全てバス１０５を介して処理が行われる。
【００１８】
ＴＳ分離部１０６は復調器１０２からの多重化ストリームを分離し、この分離した中から所望のコンテンツのストリームを記録メディア１０７や、ビデオデコーダ１０８およびオーディオデコーダ１０９へ出力する。
【００１９】
また、記録再生機能付き放送受信装置１０１が記録メディア１０７に記録したコンテンツを再生する場合、ＣＰＵ１０３は記録メディア１０７から目的とするコンテンツのストリームを読み出し、ビデオデコーダ１０８およびオーディオデコーダ１０９へ送る。
【００２０】
更にＣＰＵ１０３は、復調器１０２からＴＳパケットエラーの検出フラグを受け取った場合には、後述する方法によって誤りが多い部分を判定し、この判定結果の情報を、記録するコンテンツと共に記録メディア１０７へ記録する。
【００２１】
ユーザは、記録時にコンテンツの誤りが多い部分を除いて記録する設定と、記録後に手動で削除する設定とを選択することができ、この選択内容は図示しない不揮発性メモリに記憶される。
【００２２】
ＴＳ分離部１０６は上記判定結果の情報をもとに、記録コンテンツの誤りが多い部分を削除する。
記録メディア１０７は、ＤＶＤ等の光ディスク、磁気ディスク、光磁気ディスク、あるいは半導体メモリ等のデジタルデータを記録可能な記録媒体である。この記録メディア１０７は、記録再生機能付き放送受信装置１０１に内蔵していても良いし、脱着可能な構成となっていても良い。
【００２３】
ビデオデコーダ１０８は、ＴＳ分離部１０６から入力されたビデオストリームを復号化し、ディスプレイへ出力する。また、オーディオデコーダ１０９は、ＴＳ分離部１０６から入力されたオーディオストリームを復号化し、スピーカ等へ出力する。
【００２４】
バッテリー１１０は、各ブロックに対して所定の電圧を供給する。
次に、このように構成された記録再生機能付き放送受信装置での、上記検出された誤りが多い部分の削除動作およびＪＵＭＰ再生動作について詳細に説明する。
上述した通りコンテンツに誤りが多く検出されると、この誤りが多い部分のコンテンツの位置情報は記録メディア１０７にファイルとして保存される。ＣＰＵ１０３は、ユーザから誤りが多い部分を削除する指示を受けると、この誤りが多い部分のコンテンツの位置情報を用いることにより誤りが多い部分を削除することができる。
【００２５】
また、予めユーザによって記録時にコンテンツの誤りが多い部分を除いて記録する設定がなされていた場合には、記録再生機能付き放送受信装置１０１は、誤りが多い部分の位置情報が確定した時点で、誤りが多い部分の削除を開始する。これによって、コンテンツの誤りが多い部分を除いて記録する機能が実現する。
【００２６】
次に、記録再生機能付き放送受信装置の削除処理について図２を用いて詳細に説明する。
図２は記録したコンテンツの誤りが多い部分と、記録後の削除およびＪＵＭＰ再生の動作を説明するための図である。
図２（ａ１）に示すように記録したコンテンツに誤りが多い部分が検出された場合、ＣＰＵ１０３は記録終了時や再生時に、誤りが多い部分である旨をユーザへ案内する画像を映像信号として出力したり或いは音声により案内すると共に、図２（ａ２）に示すように削除もしくはＪＵＭＰ再生する。
【００２７】
このＪＵＭＰ再生や削除の制御を行うため、ＣＰＵ１０３は予め記録時誤りが多い部分か否かを判定し、図２（ａ１）のＡ点からＢ点に誤りがあることを識別するためのデータをファイルとして記録メディア１０７へ記録する。そしてこのファイルをＪＵＭＰ再生や記録終了後に記録時誤りが多い部分の削除処理に用いる。
【００２８】
図２（ｂ１）に示すように記録したコンテンツに誤りが多い部分が複数箇所検出された場合、図２（ｂ２）に示すように複数箇所の誤りが多い部分をそれぞれ削除もしくはＪＵＭＰ再生するパターン１と、パターン２〜パターン４のように誤りが多い部分の間を自由に選択して削除もしくはＪＵＭＰ再生する。
【００２９】
これら図２で説明した削除するタイミングとしては、記録終了後に削除しても良いし、記録メディア１０７への記録再生速度が高速であるならば新たな信号を記録しつつ、一旦記録した後に誤りが多かったところを削除し詰めて記録しなおすようにしても良い。このように詰めて記録することにより連続して記録されている領域を作成することができる。
【００３０】
また、記録メディア１０７に記録する前のバッファメモリ上で誤りが多い部分か否かの判定を行っても良い。こうすることにより記録メディア１０７への記録・再生が高速でない場合においても予め誤りが多い部分を削除した信号を記録することができる。
【００３１】
次に、誤りが多い部分を判定する方法について図３を用いて詳細に説明する。なお、ここで想定しているのは、パケットエラーによる不具合と、Ｃ／Ｎ比エラーによる不具合である。
【００３２】
（１）パケットエラーによる誤りが多い部分の判定
まず、映像における誤りが多い部分の判定について説明する。
図３はパケットエラーによる誤りが多い部分の判定例を説明する図である。図３（ａ）は１ＧＯＰを拡大しピクチャ単位で表示した図であり、図３（ｂ）はビデオストリームをＧＯＰ単位で区切って表示した図である。図３（ｂ）で、正常なＧＯＰには○印、不具合が発生したＧＯＰには×印を付している。
【００３３】
ＣＰＵ１０３はＴＳパケットのエラーを検出した場合、このエラーパケットが属するＧＯＰに対して、正常なＧＯＰ（以下、正常ＧＰＯと記す）であるかエラーがあったＧＯＰ（以下、エラーＧＯＰと記す）であるかの判定を行う。この判定方法の詳細については後述する。
【００３４】
いま、ＣＰＵ１０３はＧＯＰ毎にエラーＧＰＯか否かの判定を行い、この判定結果が図３（ｂ）で示した○／×の結果になったとする。この判定結果において、エラーＧＯＰ３０６が設定値（回数）以上続いた部分をコンテンツの誤りが多い部分として判定する。図３（ｂ）では、一例としてエラーＧＯＰが４回以上連続した部分を誤りが多い部分として判定する。図３（ｂ）の符号３０１で示した期間は×が５つ連続しているので、この間は誤りが多い部分として判定する。反対に、図３（ｂ）の符号３０２で示した期間には×が点在しているが、４回以上連続した誤りではないのでこの符号３０２で示した期間は正常部分として判定される。
【００３５】
この誤りが多い部分／正常部分の判定の基準となる値は上記４回連続したときに限らず、例えば連続する１０ＧＯＰ中に誤りが６ＧＯＰ点在していても、誤りが多い部分と判定しても良い。これら判定の基準は設計時に異なる値としてもよいし、ユーザに予め設定させてメモリに保持していても良い。
【００３６】
誤りが多い部分とは、誤りの密度が高い部分（誤りのあるＧＯＰの密度が高い部分）と言い換えることもできる。
また、この本実施の形態では、１ＧＯＰを図３（ａ）に示すＩ０〜Ｂ１４の１５ピクチャとしたが、ＭＰＥＧ２−ＴＳにおいてＧＯＰの長さは任意であり、ＧＯＰ層は省略することも可能である。従って誤りが多い部分を判定するために、ＧＯＰ単位のエラーを判定する上記の方法はあくまでも一例であり、その判定単位は任意に変更可能である。
【００３７】
例えば、ＧＯＰ構造をもたないストリームの場合、初めのＩピクチャから３つ目のＩピクチャが現れる手前のピクチャ迄を、１つの判定単位にするようにしても良い。
【００３８】
次に、ＴＳパケットのエラー検出からＧＯＰ単位のエラーを判定する方法を図４および図５を用いて詳細に説明する。
図４および図５はＴＳパケットのエラー検出からＧＯＰ単位のエラーを判定する方法を説明するためのフローチャートである。以下、図４および図５の説明において、特にことわらない限り、全てＣＰＵ１０３が処理を行う動作である。
【００３９】
図４において、ＧＯＰ内で初めてＴＳパケットのエラーが検出されたとき、このフローチャートはスタートする。なお、ＴＳパケットのエラーは、ＴＳパケットヘッダ内のＴＳエラーインジケータの値によって有無を検出している。
【００４０】
まず始めに、ＴＳパケットのエラーがＰＥＳヘッダであるか否か判定する（ステップＳ４０１）。
このステップＳ４０１にて、ＴＳパケットのエラーはＰＥＳヘッダと判定した場合、画像の表示に重大な影響を及ぼす可能があると考えられる。例えばＰＥＳヘッダを例にとると、ＰＴＳやＤＴＳなどのタイムスタンプが画像の表示に重大な影響を及ぼすと考えられる。
【００４１】
しかし、ＰＥＳヘッダ部分のエラーの全てが画像の表示に影響するとは限らない。なぜならばデコーダは全てのヘッダ情報を画像の表示に利用しているわけではなく、また、各メーカーのデコーダの仕様によっても画像の表示に利用するヘッダの情報が異なっているからである。本発明では、後述するヘッダも含めて、各ヘッダがエラーであると記述した場合、そのエラーが画像の表示に影響を及ぼすことを前提とする。
【００４２】
ステップＳ４０１にて、ＴＳパケットのエラーがＰＥＳヘッダであると判定した場合、このＰＥＳのペイロードがＩピクチャであるか否かを判定する（ステップＳ４０２）。放送の場合、ＰＥＳは通常１ピクチャ毎にパケット化されており、この実施の形態もこれを想定している。
【００４３】
ステップＳ４０２にて、判定結果がＩピクチャであったとき、後述する処理Ａの処理へ進み、Ｉピクチャでなかったとき、即ちＢまたはＰピクチャであった場合、後述する処理Ｂの処理へ進む。
【００４４】
処理Ａおよび処理Ｂは図５に示している。処理Ａでは、このＴＳパケットエラーの属するＧＯＰをエラーＧＯＰと判定する（ステップＳ５０１）。処理Ｂでは、このＴＳパケットエラーの属するＧＯＰを正常ＧＯＰと判定する（Ｓ５０２）。
【００４５】
ステップＳ５０１およびステップＳ５０２で判定が終了したＧＯＰについては、次のＴＳパケットのエラーを検出する必要がないため、次のＧＯＰが始まるまで、ＴＳパケットエラーの検出を停止し（Ｓ５０３）、このＧＯＰ単位のエラー判定を終了する。
【００４６】
ここでステップＳ４０２にて、ＰＥＳヘッダのエラーがＩピクチャに関係するか、他のピクチャに関係するかによって、フローが分かれる理由を説明する。ＧＯＰ内の予測符号化はＩピクチャからスタートし、Ｉピクチャはフレーム内で符号化されており他のＰ，Ｂピクチャから参照される。従ってＩピクチャは非常に重要なピクチャであり、このＩピクチャが壊れるとＧＯＰ内の他のピクチャ全てに影響を及ぼしてしまう可能性がある。逆に、参照する側のＢ、Ｐピクチャに関しては、それ自身が多少壊れたとしても、参照される側のピクチャが正常であれば、そこから補完することが可能である。
【００４７】
この実施の形態では、１ＧＯＰ内においてＩピクチャが正常であれば、それ以降の全てのピクチャが壊れていたとしても、正常なＩピクチャをその間表示して補うことにより、その１ＧＯＰが正常なＧＯＰとして成り立つと判定している。
【００４８】
更に図３で示したように、Ｉピクチャは１ＧＯＰの初めに受信するピクチャであると想定しているため、ＧＯＰ内のＴＳパケットエラーがＩピクチャでなければ、それ以前に受信している同ＧＯＰ内のＩピクチャは正常（エラーが無かった）であると考えられるため、当該ＧＯＰは正常なＧＯＰであると判定できる。
【００４９】
図４のステップＳ４０１へ戻って説明を続ける。
ステップＳ４０１にて、ＴＳパケットのエラーがＰＥＳヘッダで無いと判定した場合、このエラーがシーケンスヘッダのエラーであるか否かを判定する（ステップＳ４１１）。
【００５０】
ステップＳ４１１にて、ＴＳパケットのエラーがシーケンスヘッダである場合、このシーケンスヘッダに関係するＧＯＰを全てエラーＧＯＰと判定する（ステップＳ４１２）。そして、次のシーケンスヘッダまでＴＳパケットのエラー検出を停止し（ステップＳ４１３）、ＧＯＰ単位のエラー判定を終了する。
【００５１】
ステップＳ４１１にて、ＴＳパケットのエラーがシーケンスヘッダでない場合、このエラーがＧＯＰヘッダのエラーであるか否かを判定する（ステップＳ４２１）。
ステップＳ４２１にて、エラーがＧＯＰヘッダのエラーである場合、前述した処理Ａへ進む。
ステップＳ４２１にて、エラーがＧＯＰヘッダのエラーでない場合、このエラーがセクションであるか否かを判定する（ステップＳ４３１）。
ステップＳ４３１にて、エラーがセクションである場合、前述したステップＳ４０２へ進む。
ステップＳ４３１にて、エラーがセクションでない場合、エラーがピクチャヘッダか否かを判定する（ステップＳ４４１）。
ステップＳ４４１にて、エラーがピクチャヘッダの場合、前述したステップＳ４０２へ進む。
ステップＳ４４１にて、エラーがピクチャヘッダでない場合、このパケットエラーはピクチャ内のデータであると考えられるため、エラーがあったピクチャがＩピクチャか否かを判定する（ステップＳ４５１）。
【００５２】
ステップＳ４５１にて、エラーがあったピクチャがＩピクチャでない場合、前述した処理Ｂへ進む。
ステップＳ４５１にて、エラーがあったピクチャがＩピクチャの場合、変数Ｙを初期化する（Ｓ４５２）。この変数Ｙは、Ｉピクチャ内において、エラーの種類がピクチャ内のデータであるＴＳパケットエラーの数を入れておくための変数である。
【００５３】
次に、Ｙの値を１つ（１パケット分）増やし（ステップ４５３）、このＩピクチャ内のデータで次のＴＳパケットで送られてくるパケットにエラーがあるか否かを、Ｉピクチャ内のデータに関するパケットが送られている間調べる（Ｓ４５４）。次のＴＳパケットエラーがあった場合、更にＹの値を１つ増やし、このループをこのＩピクチャ内のデータについて全てのパケットが受信されるまで変数Ｙを計数する。また、このときＩピクチャ内のデータを全て送るのに要したパケット数Ｚについても計数する。
【００５４】
Ｉピクチャ内のデータが全て送られるとステップＳ４５４を抜け、変数Ｙの値を用いることによりＩピクチャのエラー率であるＸを計算する（ステップＳ４５５）。このＩピクチャのエラー率Ｘは、Ｘ＝Ｙ／Ｚ×１００［％］にて求めることが出来る。
【００５５】
このエラー率Ｘが設定値（許容値）である、例えば２０［％］を超えているか否かを判定し（ステップＳ４５６）、越えている場合には処理Ａへ移りエラーＧＯＰとし、超えていない場合には処理Ｂへ移り正常ＧＯＰとする。
【００５６】
ただし、上記設定値（許容値）は適宜設計者またはユーザにより変更可能である。
以上が、映像における、ＴＳパケットエラー検出後の誤りが多い部分の判定である。音声における、ＴＳパケットエラー検出後の誤りが多い部分の判定については、ＴＳパケットのエラーが検出された部分をそのまま誤りが多い部分として判定する。
【００５７】
なお、音声の誤りが多い部分のＪＵＭＰ再生は、その部分をミュートすることによって実現する。更に音声の誤りが多い部分をＪＵＭＰ再生および削除する場合、その部分に付随する映像も同時にＪＵＭＰ再生および削除することができる。
【００５８】
この場合、音声のＪＵＭＰ再生はミュートするのではなく、次の音声の正常な部分へ、それに付随する映像と共にＪＵＭＰする。
また、本発明ではＣ／Ｎ比エラーによる誤りが多い部分の判定に適用しても良く、この場合Ｃ／Ｎ比エラーは、図１で示した復調器１０２がエラーを検出した部分をそのまま誤りが多い部分として判定する。
【００５９】
これによっても同様の効果を得ることができる。
【００６０】
【発明の効果】
以上説明したようにこの発明によれば、記録したコンテンツの誤りが多い部分を自動的に削除するので、記録媒体を有効に活用することができる。また、ＴＳエラーインジケータのフラグが立ったパケットに対して、エラーデータがどのような種類のデータであるかを判別することによって、効率的で正確なコンテンツの誤りが多い部分の判定が可能となる。
【図面の簡単な説明】
【図１】本発明の記録再生機能付き放送受信装置の構成を説明するためのブロック図。
【図２】記録したコンテンツの誤りが多い部分と、記録後の削除／ＪＵＭＰ再生の例を説明するための図。
【図３】パケットエラーによる誤りが多い部分の判定例を説明する図。
【図４】ＴＳパケットのエラー検出からＧＯＰ単位のエラーを判定する方法を説明するためのフローチャート。
【図５】ＴＳパケットのエラー検出からＧＯＰ単位のエラーを判定する方法を説明するためのフローチャート。
【符号の説明】
１０１…記録再生機能付き放送受信装置、１０２…復調器、１０３…ＣＰＵ、１０４…メモリ、１０５…バス、１０６…ＴＳ分離部、１０７…記録メディア、１０８…ビデオデコーダ、１０９…オーディオデコーダ、１１０…バッテリー、１１１…アンテナ、１１２…チューナ。
【図１】
2004120476.tif 000003
【図２】
2004120476.tif 000004
【図３】
2004120476.tif 000005
【図４】
2004120476.tif 000006
【図５】
2004120476.tif 000007